(57)【要約】【課題】低音域の音声の音質に優れた表示装置を提供する。【解決手段】表示装置に取り付けられるウーハーボックス（３１）は、第１の開口（４５）及び第２の開口（４６）が表示装置の表示面に沿った方向に向き付けられている。【選択図】図３
2018129686.tif 000002
【特許請求の範囲】
【請求項１】
表示装置に取り付けられるウーハーボックスであって、音声出力方向が当該表示装置の表示面に沿った方向に向き付けられている
ことを特徴とするウーハーボックス。
【請求項２】
請求項１に記載のウーハーボックスを１つ備えている
ことを特徴とする表示装置。
【請求項３】
上記ウーハーボックスは、当該表示装置の表示面に沿った方向に向き付けられた開口を有している
ことを特徴とする請求項２に記載の表示装置。
【請求項４】
上記ウーハーボックスは、当該表示装置の表示面に沿った方向を法線方向とする振動板を有している
ことを特徴とする請求項３に記載の表示装置。
【請求項５】
上記ウーハーボックスは、音声出力方向が当該表示装置の底面側に向けて向き付けられている
ことを特徴とする請求項２から４の何れか１項に記載の表示装置。
【請求項６】
上記１つのウーハーボックスは、当該表示装置の下側中央に設けられている
ことを特徴とする請求項２から５の何れか１項に記載の表示装置。
【請求項７】
請求項２から６の何れか１項に記載の表示装置を備えていることを特徴とするテレビジョン受像機。
【発明の詳細な説明】
【技術分野】
【０００１】
本発明はウーハーボックス、表示装置及びテレビジョン受像機に関する。
【背景技術】
【０００２】
テレビジョン受像機（以下、単に「テレビ」ともいう）として、中高音域の音声を再生するスピーカーと、低音域の音声を再生するウーハーとを備えたものが存在する。
【０００３】
このようなウーハーには、中高音域の音声を再生するスピーカーに比べ、比較的大きな容積のボックスが必要となる。そのため、薄型テレビの場合には、一般に、そのデザイン性及び薄さが損なわれないように、テレビ背面に薄型構造のウーハーボックスが搭載され、テレビ背面向きに低音域の音声が出力される。一方で、中高音域の音声を再生するスピーカーは、テレビの前面に前向き搭載されたり、テレビの底面に下向きに搭載されたりしている。
【０００４】
例えば特許文献１には、薄型パネルディスプレイテレビに取り付けられるスピーカー装置が記載されている。
【先行技術文献】
【特許文献】
【０００５】
【特許文献１】特開平１１−６９４７４号公報（１９９９年３月９日公開）
【発明の概要】
【発明が解決しようとする課題】
【０００６】
ところで上記従来のテレビには次のような問題点があると考えられる。図６及び７はそれぞれ、従来のテレビの問題点を説明するための説明図であって、図６は従来のテレビを正面側から見たときの構成を模式的に示す模式図である。図７は図６に示した従来のテレビを背面側から見たときの構成を模式的に示す模式図である。
【０００７】
これらの図を参照して説明すると、テレビ６０は表示装置６１を備えており、表示部６１の正面の両端側には、中高音域の音声を再生する第１のサイドスピーカー６２及び第２のサイドスピーカー６３が配置されている。一方、表示部６１の背面の中央付近には、第１のウーハーボックス６４及び第２のウーハーボックス６５が上下に並列配置されている。第１のウーハーボックス６４及び第２のウーハーボックス６５のそれぞれには、低音域を再生するスピーカーユニット（図示せず）が収納されている。
【０００８】
このような構成のテレビ６０において、第１のサイドスピーカー６２及び第２のサイドスピーカー６３からの中高音域の音声は、テレビ６０の正面側の視聴者（図示せず）に直接届く。これに対して、第１のウーハーボックス６４及び第２のウーハーボックス６５からの中高音域の音声は、テレビ６０の背面方向へと出力された後、図６中、太矢印で示すようにテレビ６０の正面側へと回り込んでから視聴者に届く。これにより低音域の音声は中高音域の音声よりも遅延して視聴者に届くため、視聴者は、低音域の音声の音質が劣化したものと認識してしまう虞がある。このことは特に、テレビの大型化・大画面化によって顕著になると考えられる。
【０００９】
本発明は上記の課題に鑑みてなされたものであり、その目的は、低音域の音声の音質に優れた表示装置に用いることが可能なウーハーボックス、及びそれを備えた表示装置、並びにそのような表示装置を備えたテレビジョン受像機を提供することにある。
【課題を解決するための手段】
【００１０】
本発明は上記の課題を解決するために、本発明の一態様に係るウーハーボックスは、表示装置に取り付けられるウーハーボックスであって、音声出力方向が当該表示装置の表示面に沿った方向に向き付けられている。
【発明の効果】
【００１１】
本発明の一態様によれば、表示装置の表示面に沿った方向に音声を出力することの可能なウーハーボックスを提供することができる。
【図面の簡単な説明】
【００１２】
【図１】本発明の実施形態１に係る表示装置を正面側から見たときの構成を模式的に示す模式図である。
【図２】図１に示した表示装置を背面側から見たときの構成を模式的に示す模式図である。
【図３】図２に示したウーハーボックスの構成を概略的に示す斜視図である。
【図４】図４に対応した図であって、ウーハーボックスの分解斜視図である。
【図５】本発明の実施形態２に係るウーハーボックスの構成を概略的に示す斜視図である。
【図６】従来のテレビを正面側から見たときの構成を模式的に示す模式図である。
【図７】図６に示した従来のテレビを背面側から見たときの構成を模式的に示す模式図である。
【発明を実施するための形態】
【００１３】
〔実施形態１〕
以下、本発明の実施の形態について詳細に説明する。
【００１４】
はじめに図１〜４を参照して、本発明の一実施形態に係るウーハーボックス及びこれを備えた表示装置について説明する。
【００１５】
（表示装置）
図１は本実施形態１に係る表示装置を正面側から見たときの構成を模式的に示す模式図である。図２は図１に示した表示装置を背面側から見たときの構成を模式的に示す模式図である。
【００１６】
これらの図を参照して説明すると、本実施形態に係る表示装置１は、表示部１０を備えており、表示部１０の正面の両端側には、中高音域の音声を再生する第１のサイドスピーカー１１及び第２のサイドスピーカー１２が配置されている。一方、表示部１０の背面であって表示部１０の底面側には、低音域の音声を再生するウーハーボックス３１が配置されている。尚、本明細書において、「音声」とは人の声に限定されず、搭載されたスピーカーが再生可能な帯域の音も含む。ウーハーボックス３１は、表示装置１の下側中央、具体的には表示装置１の表示部１０の下側中央に設けられている。尚、これによる効果については後述する。
【００１７】
（ウーハーボックス）
続いて、図２に示したウーハーボックスについて、図３及び図４に基づいて具体的に説明する。本実施形態に係るウーハーボックスは、バスレフ型スピーカー用のウーハーボックスとして構成されている。図３は図２に示したウーハーボックスの構成を概略的に示す斜視図である。図４は図３に対応した図であって、ウーハーボックスの分解斜視図である。
【００１８】
これらの図を参照して説明すると、ウーハーボックス３１は、前キャビネット３５と後キャビネット３６とを備えており、これらはネジ等の固定部材（図示せず）によって一体化されている。ネジ等の固定部材（図示せず）によって一体化されている。尚、本実施形態において、前キャビネット３５、後キャビネット３６を構成する材質は特に限定されるものではなく、例えば合成樹脂及び木材等を用いることができる。このうち好ましい材質としては、例えば高剛性な樹脂としてＡＢＳ材等が挙げられる。
【００１９】
ウーハーボックス３１は、音声出力方向が表示装置１の表示面１３（図１参照）に沿った方向であって、表示装置１の底面（図示せず）側に向き付けられている。より詳細には、ウーハーボックス３１は、第１の開口４５及び第２の開口４６を有している。これらの開口を設けたことによる効果については後述する。
【００２０】
ウーハーボックス３１の内部には、スピーカーユニット４０が配置されている。スピーカーユニット４０は、第１のスピーカー部材４０１及び第２のスピーカー部材４０２を備えている。第１のスピーカー部材４０１と第２のスピーカー部材４０２とは、それらの音波の放射面（図示せず）側が互いに対向して配置されている。このように配置することで、本実施形態ではスピーカーユニット４０自体による振動をキャンセルすることができる。スピーカーユニット４０が再生する音声は、第１の開口４５から出力される。
【００２１】
ウーハーボックス３１には更に、前キャビネット３５と後キャビネット３６とが一体化することで構成されるバスレフダクト（バスレフポートともいう）４８が設けられている。これによりスピーカーユニット４０の背面に放射される音波の一部は、バスレフダクト４８を通ることが可能となる。そしてバスレフダクト４８に通じる第２の開口４６からは、スピーカーユニット４０によって再生される音声の一部が出力される。本実施形態によれば、このように開口４６を設けることで、スピーカーユニット４０からの低音域の音声を増強させることができる。
【００２２】
（実施形態１による効果）
続いて、実施形態１による表示装置の効果について、再度図１及び２を参照して説明する。
【００２３】
ウーハーボックス３１は上述した構成を備えているため、ウーハーボックス３１の第１の開口４５及び第２の開口４６（図３参照）から出力された低音域の音声は、図１及び図２のそれぞれにおいて太矢印で示すように、表示面１３に沿って出力された後、表示部１０の底面（図示せず）側を回り込んでから視聴者（図示せず）に届く。これにより、第１のサイドスピーカー１１からの中高音域の音声が視聴者に届くまでの時間と、上述した低音域の音声が視聴者に届くまでの時間との時間差が短くなる。そのため、中高音域の音声に対する低音域の音声の遅延による音質劣化を低減し、音質を向上させることができる。又、音声の回り込みの程度が少ないため、回り込みによる低音域の音声の音量減少も低減される。特に、表示装置１によれば、ウーハーボックス３１は表示装置１の下側中央に設けられているため、上述した回り込みをより低減することができる。尚、このことは、ウーハーボックス３１と第２のサイドスピーカー１２においても同様である。
【００２４】
更に、表示装置１によれば、ウーハーボックス３１から出力される低音域の音声は表示面１３に沿って出力されるため、表示装置１は、表示装置１の背面の環境の影響を受けにくくなる。従って、例えば表示装置１を図示しない壁際に設置しても、低音域の音声が壁に反射されて低音が豊かになる、強調気味になる等の問題が生じる虞は少なくなる。又、表示装置１を壁から離して設置しても、低音域の音声の音量が少なくなってしまう等の問題が生じる虞も少なくなる。それゆえ、表示装置１によれば、ウーハーボックス３１を表示部１０の背面側に設けることによって、表示装置１の音質及びデザイン性の両方を向上させることができる。
【００２５】
尚、本実施形態では、ウーハーボックスが特定の開口を有することによって、ウーハーボックスの音声出力が表示装置の表示面に沿った方向に向き付けられる構成としたが、これに限定されず、他の構成によってウーハーボックスの音声出力方向が表示装置の表示面に沿う方向に向き付けられるようにしてもよい。
【００２６】
又、本実施形態では、ウーハーボックス３１において、バスレフダクト４８に通じる第２の開口４６の音声出力方向は、スピーカーユニット４０に通じる第１の開口４５の音声出力方向と同一面側に設けられているが、このような構成に限定されるものではなく、少なくとも第１の開口４５及び第２の開口４６音声出力方向が、それぞれ表示装置１の表示面１３に沿った方向に向き付けられていれば、それらの開口は互いに異なる面に設けられていてもよい。
【００２７】
更に、本実施形態では、ウーハーボックス３１において、第１の開口４５及び第２の開口４６は、それぞれ表示装置１の底面側に向けて向き付けられているが、このような構成に限定されるものではない。従って例えば、第１の開口４５及び第２の開口４６は、例えば表示装置１の上面側又は側面側に向き付けられた構成としてもよい。
【００２８】
更に、本実施形態では、スピーカーユニット４０において第１のスピーカー部材４０１及び第２のスピーカー部材４０２が対向配置された構成を示したが、これに限定されるものではなく、スピーカーユニット４０に代えて一般的に使用されるスピーカーを適用してもよい。更に、本実施形態に係るウーハーボックスは、密閉型スピーカー用としてもよい。
【００２９】
更に、本実施形態では、ウーハーボックス３１は表示装置１の下側中央に設けられているが、これに限定されるものではない。しかしながら、音質の更なる向上を図るためには、ウーハーボックス３１は、第１のサイドスピーカー１１及び第２のサイドスピーカー１２それぞれから等距離の箇所に配置されていることが好ましい。
【００３０】
〔実施形態２〕
本発明の他の実施形態について、更に図５を加えて説明すれば、以下のとおりである。尚、説明の便宜上、前記実施形態にて説明した部材と同じ機能を有する部材については、同じ符号を付記し、その説明を省略する。
【００３１】
本実施形態に係るウーハーボックスは、パッシブラジエータ型スピーカー用のウーハーボックスとして構成されている。図５は、本発明の実施形態２に係るウーハーボックスの構成を概略的に示す斜視図である。
【００３２】
図５を参照して説明すると、本実施形態２に係るウーハーボックス６１は、前キャビネット６５と後キャビネット６６とを備えており、これらはネジ等の固定部材（図示せず）によって一体化されている。ウーハーボックス６１の内部には、スピーカーユニット４０が配置されている。
【００３３】
本実施形態２に係るウーハーボックス６１も、実施形態に係る第１のウーハーボックス３１（図３参照）と同様に、音声出力方向が表示装置１の表１３に沿った方向に向き付けられるように構成されている。具体的には、ウーハーボックス６１は、図５に示すように、表示装置１の表示面１３（図１参照）に沿った方向であって、表示装置１の底面（図示側）に向き付けられる第１の開口７５を有している。
【００３４】
本実施形態に係るウーハーボックス６１は更に、表示装置１の表示面１３（図１参照）に沿った方向を法線方向とする振動板７６を有している。
【００３５】
このような構成のウーハーボックス６１において、ウーハーボックス６１内でスピーカーユニット４０が音圧を発生すると、この音圧によって振動板７６が振動する。そのため、ウーハーボックス６１によれば、振動板７６を振動させることで、ウーハーボックス６１が再生する低音域の音声を増強させることができる。
【００３６】
このように、実施形態１で示した第２の開口４６（図３等参照）に代えて振動板７６を設けても、実施形態１と同様に、中高音域の音声に対する低音域の音声の遅延を低減し、音質を向上させることができる。
【００３７】
尚、本実施形態に係る振動板７６は円形状であるが、これに限定されず、振動板は例えば楕円形状等の他の形状であってもよい。又、振動板７６の素材は特に限定されず、例えば一般に使用される紙素材や樹脂素材・金属素材等が挙げられる。
【００３８】
〔実施形態３〕
本発明の第３の実施形態において、テレビジョン受像機（図示せず）は、表示装置１（図１等を参照）とチューナー（図示せず）とを備えている。
【００３９】
このような構成によれば、テレビジョン受像機は、表示装置１の効果によって低音域の音声の音質が優れたものとなる。
【００４０】
又、このようなテレビジョン受像機によれば、例えばウーハーボックス３１の音声出力方向が表示装置１の底面側に向き付けられている場合には、ウーハーボックス３１と、テレビジョン受像機を設置する台や床等の設置面（図示せず）との間の距離を常に一定に保つことができる。これによれば、設置面によって反射される低音域の音声は一定になるため、テレビジョン受像機の設置環境に左右されにくく、安定した低音域の音質が保証されたテレビジョン受像機を提供することができる。
【００４１】
〔まとめ〕
本発明の態様１に係るウーハーボックス３１は、表示装置１に取り付けられるウーハーボックス３１であって、音声出力方向が表示装置１の表示面１３に沿った方向に向き付けられている。
【００４２】
上記の構成によれば、音声出力方向が表示装置１の表示面１３に沿った方向に向き付けられている表示装置１を提供することができる。
【００４３】
本発明の態様２に係る表示装置１は、上記態様１に係るウーハーボックス３１を１つ備えた表示装置である。
【００４４】
上記構成によれば、ウーハーボックス３１によって再生される低音域の音声は、表示装置１の表示面１３に沿った方向に出力される。これにより、低音域の音声の回り込みによる音質劣化及び音量減少を低減することができる。
【００４５】
本発明の態様３に係る表示装置１は、上記態様１または２において、ウーハーボックス３１は、表示装置１の表示面１３に沿った方向に向き付けられた第１の開口４５及び第２の開口４６を有していてもよい。
【００４６】
上記の構成によれば、低音域の音声は第１の開口４５及び第２の開口４６の２つの開口から表示装置１の表示面１３に沿った方向に出力されるため、低音域の音声が増強される。
【００４７】
本発明の態様４に係る表示装置１は、上記態様１〜３のいずれか１ついにおいて、ウーハーボックス３１は、表示装置１の表示面１３に沿った方向を法線方向とする振動板７６を有していてもよい。
【００４８】
上記の構成によれば、振動板７６を振動させることで、低音域の音声を増強させることができる。
【００４９】
本発明の態様５に係る表示装置１は、上記態様１〜４のいずれか１つにおいて、ウーハーボックス３１は、音声出力方向が表示装置１の底面側に向けて向き付けられていてもよい。
【００５０】
上記の構成によれば、態様１〜４と同様の効果を奏する。
【００５１】
本発明の態様６に係る表示装置１は、上記態様１〜５のいずれか１つにおいて、ウーハーボックス３１は、表示装置１の下側中央に設けられていてもよい。
【００５２】
上記の構成によれば、音質の更なる向上を図ることができる。
【００５３】
本発明の態様７に係るテレビジョン受像機は、上記態様１〜６のいずれか１つに係る表示装置１を備えていてもよい。
【００５４】
上記の構成によれば、テレビジョン受像機は表示装置１を備えているため、低音域の音声の音質が改善されたテレビジョン受像機を提供することができる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１  表示装置
１１  第１のサイドスピーカー
１２  第２のサイドスピーカー
１３  表示面
３１  ウーハーボックス
４５  第１の開口
４６  第２の開口
７５  第１の開口
７６  振動板
【図１】
2018129686.tif 000003
【図２】
2018129686.tif 000004
【図３】
2018129686.tif 000005
【図４】
2018129686.tif 000006
【図５】
2018129686.tif 000007
【図６】
2018129686.tif 000008
【図７】
2018129686.tif 000009